(57)【特許請求の範囲】
【請求項１】
計測対象を異にする複数種類の計測用のメータを信号線により個別に接続するための複数の接続用端子と、
これら接続用端子に接続された前記各メータを選択操作に応じてまたは周期的に選択する選択手段と、
この選択手段で選択されたメータの計測値をその選択時または定期的に取込み且つ同メータから常時送出される積算用パルス信号を取込む取込手段と、
この取込手段で取込まれる計測値を基準として同取込まれる積算用パルス信号を積算する積算手段と、
前記選択手段で選択されたメータの種類を明示するとともに、当該明示されたメータから前記取込手段によって取込まれたメータの計測値または前記積算手段により積算された積算値を表示する表示手段と、
を具備したことを特徴とする隔測表示器。
【発明の詳細な説明】
【０００１】
【発明の属する技術分野】
この発明は、水道メータ等の計測値をそのメータから離れた場所で表示する隔測表示器に関する。
【０００２】
【従来の技術】
水道メータの計測値をその水道メータから離れた場所で表示する隔測表示器がある。水道メータは、通信機能を持ち、水道管を通る水道水の流量を常時計測し、その計測値を含むメータ情報を定期的または必要に応じて隔測表示器に向け送出するとともに、積算用パルス信号を隔測表示器に向け常時送出する。
【０００３】
隔測表示器は、水道メータから送出されるメータ情報および積算用パルス信号を取込むとともに、メータ情報に含まれる計測値を基準として積算用パルス信号を積算し、その計測データまたは積算値を水道水の使用量として表示する。
この通信機能付の水道メータおよび隔測表示器を用い、隔測表示器をたとえば家の玄関先など出入りの容易な場所に設置しておくことにより、家の裏側や家と塀の間の狭い空間に水道メータがあるような場合でも、係員に負担をかけることなく、水道メータの検針が可能となっている。
【０００４】
【発明が解決しようとする課題】
計測用のメータとして、水道メータだけでなく、都市ガスメータやＬＰガスメータがある。
【０００５】
これらメータごとに隔測表示器を用意すると、その設置にかなりのコストがかかってしまう。設置スペースの問題もある。
【０００６】
この発明は上記の事情を考慮したもので、その目的とするところは、複数のメータの検針を１箇所で容易に行うことができ、これによりコストやスペースの問題のない利便性にすぐれた隔測表示器を提供することにある。
【０００７】
【課題を解決するための手段】
請求項１に係る発明の隔測表示器は、計測対象を異にする複数種類の計測用のメータを信号線により個別に接続するための複数の接続用端子と、これら接続用端子に接続された前記各メータを選択操作に応じてまたは周期的に選択する選択手段と、この選択手段で選択されたメータの計測値をその選択時または定期的に取込み且つ同メータから常時送出される積算用パルス信号を取込む取込手段と、この取込手段で取込まれる計測値を基準として同取込まれる積算用パルス信号を積算する積算手段と、前記選択手段で選択されたメータの種類を明示するとともに、当該明示されたメータから前記取込手段によって取込まれたメータの計測値または前記積算手段により積算された積算値を表示する表示手段と、を備える。
【０００８】
【発明の実施の形態】
以下、この発明の一実施例について図面を参照して説明する。
【０００９】
図１において、１は隔測表示器で、主制御部としてマイクロコンピュータ２を備え、そのマイクロコンピュータ２にＬＣＤ積算表示器（表示手段）３、スイッチ（操作手段）４、切替制御回路５、インタフェース（Ｉ／Ｆ）６、バッテリ電源７を接続し、さらに、インタフェース６に切替制御回路５の出力接点５ａ，５ｂ，５ｃを介して接続用端子１１，１２，１３を接続してなる。この隔測表示器１がたとえば家の玄関先などに設置される。
【００１０】
そして、接続用端子１１，１２，１３に検針用のメータとして水道メータ２１、都市ガスメータ２２、ＬＰガスメータ２３がそれぞれ信号線接続される。
【００１１】
ＬＣＤ積算表示器３は、図２に示すように、水道メータ２１、都市ガスメータ２２、ＬＰガスメータ２３にそれぞれ対応する文字『水道』『都市ガス』『ＬＰガス』を常時表示するとともに、その各文字と対応する位置に発光ダイオード３１，３２，３３を有し、かつ検針値や積算値を使用量として表示するための数値表示部３４を有する。
【００１２】
スイッチ４は、水道メータ２１、都市ガスメータ２２、ＬＰガスメータ２３を順次に選択するための操作手段として機能する。
【００１３】
切替制御回路５は、出力接点５ａ，５ｂ，５ｃを有し、その出力接点５ａ，５ｂ，５ｃのいずれか１つをマイクロコンピュータ２の指令に応じて選択的にオンする。
【００１４】
インタフェース（Ｉ／Ｆ）６は、マイクロコンピュータ２とメータ２１，２２，２３との間のデータ伝送を賄う。
【００１５】
バッテリ電源７は、当該隔測表示器１の動作用電圧を出力する。
【００１６】
そして、マイクロコンピュータ２は、主要な機能として次の［１］〜［５］の手段を有する。
【００１７】
［１］接続用端子１１，１２，１３に接続されている各メータをスイッチ４のオン操作（選択操作）ごとに切替制御回路５を用いて順次に選択する選択手段。
【００１８】
［２］上記選択手段で選択されたメータがどれであるかを表示器３における発光ダイオード３１，３２，３３のいずれかの点灯によって報知する報知手段。
【００１９】
［３］上記選択手段で選択されたメータの計測値をその選択時（および定期的）に取込み且つ同メータから送出される積算用パルス信号を取込む取込手段。
【００２０】
［４］上記取込手段で取込まれる計測値を基準として同取込まれる積算用パルス信号を積算する積算手段。
【００２１】
［５］上記取込手段で取込まれる計測値または上記積算手段の積算値をＬＣＤ積算表示器３で表示する表示手段。
【００２２】
一方、水道メータ２１は、隔測表示器１に対する通信機能を持ち、水道管（図示しない）を通る水道水の流量を常時計測し、その計測値（随時検針値とも称される）を含むメータ情報をマイクロコンピュータ２からの要求に基づき定期的および必要に応じて隔測表示器１に向け送出するとともに、積算用パルス信号を隔測表示器１に向け常時送出する。メータ情報には、計測値のほかに、当該水道メータ２１の機種・口径・積算用パルス信号出力形式などを表わすデータが含まれている。
【００２３】
都市ガスメータ２２は、隔測表示器１に対する通信機能を持ち、ガス管（図示しない）を通るガスの流量を常時計測し、その計測値（随時検針値とも称される）を含むメータ情報をマイクロコンピュータ２からの要求に基づき定期的および必要に応じて隔測表示器１に向け送出するとともに、積算用パルス信号を隔測表示器１に向け常時送出する。メータ情報には、計測値のほかに、当該都市ガスメータ２２の機種・口径・積算用パルス信号出力形式などを表わすデータが含まれている。
【００２４】
ＬＰガスメータ２３は、隔測表示器１に対する通信機能を持ち、ガス管（図示しない）を通るガスの流量を常時計測し、その計測値（随時検針値とも称される）を含むメータ情報をマイクロコンピュータ２からの要求に基づき定期的および必要に応じて隔測表示器１に向け送出するとともに、積算用パルス信号を隔測表示器１に向け常時送出する。メータ情報には、計測値のほかに、当該ＬＰガスメータ２３の機種・口径・積算用パルス信号出力形式などを表わすデータが含まれている。
【００２５】
つぎに、上記の構成の作用を図３のフローチャートを参照して説明する。
スイッチ４がオン操作されると（ステップ１０１のＹＥＳ）、メータ２１，２２，２３のいずれか１つが選択される。この選択はオン操作ごとに順次に切替えられ（ステップ１０２）、その選択切替に伴い、選択先のメータがどれであるかが表示器３における発光ダイオード３１，３２，３３のいずれかの点灯によって報知される（ステップ１０３）。
【００２６】
水道メータ２１が選択された場合には、発光ダイオード３１が点灯する。そして、マイクロコンピュータ２から選択先の水道メータ２１に対してメータ情報が要求され、この要求に基づいて水道メータ２１からメータ情報が送出され、それがマイクロコンピュータ２に取込まれる（ステップ１０４）。さらに、水道メータ２１から積算用パルス信号が常時送出され、それがマイクロコンピュータ２に取込まれる。
【００２７】
都市ガスメータ２２が選択された場合には、発光ダイオード３１が消灯して発光ダイオード３２が点灯する。そして、マイクロコンピュータ２から選択先の都市ガスメータ２２に対してメータ情報が要求され、この要求に基づいて都市ガスメータ２２からメータ情報が送出され、それがマイクロコンピュータ２に取込まれる（ステップ１０４）。さらに、都市ガスメータ２２から積算用パルス信号が常時送出され、それがマイクロコンピュータ２に取込まれる。
【００２８】
ＬＰガスメータ２３が選択された場合には、発光ダイオード３２が消灯して発光ダイオード３３が点灯する。そして、マイクロコンピュータ２から選択先のＬＰガスメータ２３に対してメータ情報が要求され、この要求に基づいてＬＰガスメータ２３からメータ情報が送出され、それがマイクロコンピュータ２に取込まれる（ステップ１０４）。さらに、ＬＰガスメータ２３から積算用パルス信号が常時送出され、それがマイクロコンピュータ２に取込まれる。
【００２９】
メータ情報が取込まれると、それに含まれている計測値が使用量としてＬＣＤ積算表示器３の数値表示部３４で表示される（ステップ１０５）。このとき、発光ダイオード３１が点灯していれば、表示された使用量は水道メータ２１の計測に基づく水道使用量であると判断される。
【００３０】
引き続き、同計測値を基準として、それに加える形で積算用パルス信号が積算カウントされる（ステップ１０６）。そして、この積算値が水道使用量として積算表示器３の数値表示部３４で逐次に表示される（ステップ１０７）。
【００３１】
一方、選択切替と同時にタイムカウントｔが実行され（ステップ１０８）、そのタイムカウントｔと一定時間ｔｓとが比較される（ステップ１０９）。タイムカウントｔが設定時間ｔｓに達しないうちは（ステップ１０９のＮＯ）、同様の積算カウント、表示、タイムカウントｔが繰り返される（ステップ１０６，１０７，１０８）。
【００３２】
タイムカウントｔと一定時間ｔｓに達すると（ステップ１０９のＹＥＳ）、タイムカウントｔがクリアされる（ステップ１１０）。そして、ステップ１０４に戻ってメータ情報が再び取込まれ、メータ情報に含まれる最新の計測値がそれまでの積算値に代わって水道使用量として表示される（ステップ１０５）。以後、同様の処理が繰り返される。
【００３３】
以上のように、１台の隔測表示器１で、水道メータ２１、都市ガスメータ２２、ＬＰガスメータ２３の検針をそれぞれ容易に行うことができる。すなわち、メータごとに隔測表示器を用意する場合のようなコストやスペースの問題を解消することができ、利便性にすぐれたものとなる。
【００３４】
しかも、表示されている使用量がどのメータの計測によるものであるかを発光ダイオード３１，３２，３３の点灯・消灯によって報知するようにしているので、表示されている使用量がどのメータの計測によるものであるかを的確に判断することができる。
【００３５】
なお、上記実施例では、各メータの選択切替を行うために切替制御回路５を用いたが、図４に示すように、接続用端子１１，１２，１３をそれぞれインタフェース（Ｉ／Ｆ）８，９，１０を介してマイクロコンピュータ２の３つの入出力ポートに接続し、切替制御回路５の機能を各入出力ポートでの信号入出力制御に置き換えるようにしてもよい。
また、上記実施例では、各メータをスイッチ４のオン操作ごとに選択切替する構成としたが、操作を要することなくタイマ計時に基づいて定期的に選択切替する構成としてもよい。
さらに、上記実施例では、水道メータ、都市ガスメータ、ＬＰガスメータへの適用について説明したが、他の種類のメータについても同様に適用可能である。
その他、この発明は上記実施例に限定されるものではなく、要旨を変えない範囲で種々変形実施可能である。
【００３６】
【発明の効果】
以上述べたようにこの発明によれば、計測用のメータを接続するための複数の接続用端子と、これら接続用端子に接続される各メータを選択操作に応じてまたは周期的に選択する選択手段と、この選択手段で選択されたメータの計測値をその選択時または定期的に取込み且つ同メータから常時送出される積算用パルス信号を取込む取込手段と、この取込手段で取込まれる計測値を基準として同取込まれる積算用パルス信号を積算する積算手段と、上記取込手段で取込まれる計測値または上記積算手段の積算値を表示する表示手段とを備えたので、複数のメータの検針を１箇所で容易に行うことができ、これによりコストやスペースの問題のない利便性にすぐれた隔測表示器を提供できる。
【図面の簡単な説明】
【図１】一実施例の構成を示すブロック図。
【図２】同実施例におけるＬＣＤ積算表示器の構成を示す図。
【図３】同実施例の作用を説明するためのフローチャート。
【図４】他の実施例の構成を示すブロック図。
【符号の説明】
１…隔測表示器
２…マイクロコンピュータ
３…ＬＣＤ積算表示器（表示手段）
４…スイッチ（操作手段）
５…切替制御回路
６…インタフェース
７…バッテリ電源
１１，１２，１３…接続用端子
２１…水道メータ
２２…都市ガスメータ
２３…ＬＰガスメータ
【図１】
0004576009.tif 000002
【図２】
0004576009.tif 000003
【図３】
0004576009.tif 000004
【図４】
0004576009.tif 000005